(57)【要約】【課題】施工が容易であり、屋根葺き作業の工期短縮を図ることができる屋根構造を提供する。【解決手段】屋根構造１０は、建築物Ｈの屋根Ｒを形成する野地板１３上に間隔をおいて配置された複数の板状の下地材１６と、隣り合う下地材１６間の野地板１３を覆うとともに側縁部１１ａを下地材１６上に固定した状態で敷設された複数の板状の屋根材１１と、下地材１６上で対向する屋根材１１の側縁部１１ａを覆った状態で固定された板状の被覆材１２と、を備えている。下地材１６と屋根材１１とは、側縁部１６ａ，１１ａ同士が重なり合う部分に挟持された両面接着テープ１７ｂで固定され、屋根材１１と被覆材１２とは、側縁部１２ａ同士が重なり合う部分に挟持された両面粘着テープ１７ａで固定されている。屋根材１１は、複数の固定板１４及び接着剤１５で野地板１３に固定されている。【選択図】図２
0003141904.tif 000002
【実用新案登録請求の範囲】
【請求項１】
建築物の屋根を形成する野地板上に間隔をおいて配置された複数の板状の下地材と、隣り合う前記下地材間の前記野地板を覆うとともに側縁部を前記下地材上に固定した状態で敷設された複数の板状の屋根材と、前記下地材上で対向する前記屋根材の側縁部を覆った状態で固定された板状の被覆材と、を備えたことを特徴とする屋根構造。
【請求項２】
前記下地材と前記屋根材との固定手段及び前記屋根材と前記被覆材との固定手段として両面接着テープを用いた請求項１記載の屋根構造。
【請求項３】
前記野地板と前記屋根材との固定手段として接着剤を用いた請求項１または２記載の屋根構造。
【考案の詳細な説明】
【技術分野】
【０００１】
本考案は、一般住宅の屋根を金属製の板状の屋根材を用いて葺く技術に関する。
【背景技術】
【０００２】
一般住宅の屋根構造は、従来、瓦葺きが多かったが、近年はカラー鋼板などの金属製板材で葺いた屋根も増えている。金属製板材を用いた屋根構造としては、「瓦棒方式」のもの（例えば、特許文献１参照。）あるいは「立はぜ方式」のもの（例えば、特許文献２参照。）が代表的である。
【０００３】
【特許文献１】特開２００５−２１４００１号公報
【特許文献２】特開２００４−１６９４１９号公報
【考案の開示】
【考案が解決しようとする課題】
【０００４】
特許文献１記載の屋根構造の場合、屋根を構成する野地板の表面に敷設される平面状の金属板材と、この金属板材の側縁を野地板に固定する瓦棒と、瓦棒をカバーするための被覆材と、が必要である。これらの資材のうち、被覆材は、瓦棒の周面を覆うため溝状に折り曲げられた部分を有するので、長手方向のサイズを小さくするために、被覆材を丸めて運搬したり、保管したりすることができない。従って、被覆材の長手方向のサイズは、貨物自動車などに積載して運搬可能なサイズに限られることとなり、被覆材を長尺化することによって屋根葺き作業の工期短縮を図ることが困難である。
【０００５】
一方、特許文献２記載の屋根構造の場合、瓦棒は不要であるが、立はぜ接続部の施工に熟練した技術と、多大な労力が必要である。また、屋根材の側縁部に沿って立はぜ接続部が形成されているため、運搬や保管の際に屋根材を丸めることができない。このため、前述と同様、屋根材を長尺化することによって屋根葺き作業の工期短縮を図ることが困難である。
【０００６】
本考案が解決しようとする課題は、施工が容易で、工期短縮を図ることができる屋根構造を提供することにある。
【課題を解決するための手段】
【０００７】
本考案の屋根構造は、建築物の屋根を形成する野地板上に間隔をおいて配置された複数の板状の下地材と、隣り合う前記下地材間の前記野地板を覆うとともに側縁部を前記下地材上に固定した状態で敷設された複数の板状の屋根材と、前記下地材上で対向する前記屋根材の側縁部を覆った状態で固定された板状の被覆材と、を備えたことを特徴とする。
【０００８】
このような構成とすれば、建築物の屋根を形成する野地板上に、板状をした複数の下地材、屋根材及び被覆材を順番に固定していくだけで屋根構造を構築することができるため、熟練技術は不要であり、施工が容易である。また、下地材、屋根材及び被覆材はいずれも板材であるため、丸めて運搬したり、保管したりすることができる。従って、作業効率を高めるため、下地材、屋根材及び被覆材を長尺化することが可能となり、工期短縮を図ることができる。
【０００９】
ここで、前記下地材と前記屋根材との固定手段及び前記屋根材と前記被覆材との固定手段として両面接着テープを用いることが望ましい。このような構成とすれば、簡単な作業で、確実な固定を行うことができる。
【００１０】
一方、前記野地板と前記屋根材との固定手段として接着剤を用いることが望ましい。このような構成とすれば、強力な固定状態を得ることができる。
【考案の効果】
【００１１】
本考案により、施工が容易で、工期短縮を図ることができる屋根構造を提供することができる。
【考案を実施するための最良の形態】
【００１２】
以下、図面に基づいて、本考案の実施の形態について説明する。図１は本考案の実施の形態である屋根構造を採用した建築物を示す斜視図、図２は図１のＡ−Ａ線における斜視断面図、図３は図２に示す屋根構造の分解斜視断面図である。
【００１３】
図１，図２に示すように、本実施形態の屋根構造１０は、建築物Ｈの屋根Ｒを形成する野地板１３上に間隔をおいて配置された複数の板状の下地材１６と、隣り合う下地材１６間の野地板１３を覆うとともに側縁部１１ａを下地材１６上に固定した状態で敷設された複数の板状の屋根材１１と、下地材１６上で対向する屋根材１１の側縁部１１ａを覆った状態で固定された板状の被覆材１２と、を備えている。
【００１４】
下地材１６と屋根材１１とは、それぞれの側縁部１６ａ，１１ａ同士が重なり合う部分に挟持された両面接着テープ１７ｂによって固定されている。また、屋根材１１と被覆材１２とは、それぞれの側縁部１２ａ同士が重なり合う部分に挟持された両面粘着テープ１７ａによって固定されている。
【００１５】
一方、屋根材１１は、複数の固定板１４及びその上面の接着剤１５によって野地板１３に固定されている。固定板１４は、その周縁寄りに開設された複数の釘孔１４ｈにそれぞれ釘１８を打ち込むことによって野地板１３上面に固定され、固定板１４の上面に塗布された接着剤１５によって屋根材１１が固体板１４に固定されている。
【００１６】
このような構成とすれば、建築物Ｈの屋根Ｒを形成する野地板１３上に、板状をした複数の下地材１６、屋根材１１及び被覆材１２を順番に固定していくだけで屋根構造１０を構築することができるため、熟練技術は不要であり、施工が容易である。また、下地材１６、屋根材１１及び被覆材１２はいずれも板材であるため、長手方向に沿って丸めて運搬したり、保管したりすることができる。従って、作業効率を高めるため、下地材１６、屋根材１１及び被覆材１２を長尺化することが可能となり、屋根葺き作業の工期短縮を図ることができる。
【００１７】
また、下地材１６と屋根材１１との固定手段及び屋根材１１と被覆材１２との固定手段としてそれぞれ両面接着テープ１７ｂ，１７ａを用いているため、簡単な作業で、確実な固定を行うことができる。一方、野地板１３に対する屋根材１１との固定手段として接着剤１５を用いているため、強力な固定状態を得ることができる。本実施形態の屋根構造１０においては、下地材１６、屋根材１１及び被覆材１２の素材としてカラー鋼板を使用しているが、これに限定するものではない。
【００１８】
次に、図４〜図６に基づいて、本考案のその他の実施の形態について説明する。図４はその他の実施の形態である屋根構造を示す斜視断面図、図５，図６は被覆材に関するその他の実施形態を示す斜視断面図である。なお、図４において図１〜図３と同じ符号を付している部分は屋根構造１０の構成部分と同じ構造、機能を有する部分であり、説明を省略する。
【００１９】
図４に示す屋根構造２０においては、図２に示す屋根構造１０の被覆材１２に代わり、被覆材１９を用いている。被覆材１９には、その長手方向（屋根勾配方向）に沿って断面コ字状の凸状部１９ａが設けられている。このような構成とすれば、被覆材１９の剛性が高まるため屋根部分の強度を向上させることができるほか、屋根勾配方向に沿って複数の凸状部１９ａが並行配列された状態となるため、建築物の外観性向上に有効である。
【００２０】
さらに、被覆材１９の代わりに、図５に示すように断面Ｕ字状の凸状部２２ａを有する被覆材２２や、図６に示すように断面Ｖ字状の凸状部３２ａを有する被覆材３２を使用することもできる。
【産業上の利用可能性】
【００２１】
本考案の屋根構造は、一般住宅などの建築物の屋根部分の構造として建設業分野において広く利用することができる。
【図面の簡単な説明】
【００２２】
【図１】本考案の実施の形態である屋根構造を採用した建築物を示す斜視図である。
【図２】図１のＡ−Ａ線における斜視断面図である。
【図３】図２に示す屋根構造の分解斜視断面図である。
【図４】その他の実施の形態である屋根構造を示す斜視断面図である。
【図５】被覆材に関するその他の実施形態を示す斜視断面図である。
【図６】被覆材に関するその他の実施形態を示す斜視断面図である。
【符号の説明】
【００２３】
１０，２０  屋根構造
１１  屋根材
１１ａ，１２ａ，１６ａ  側縁部
１２，１９，２２，３２  被覆材
１３  野地板
１４  固定板
１４ｈ  釘孔
１５  接着剤
１６  下地材
１７ａ，１７ｂ  両面接着テープ
１８  釘
１９ａ，２２ａ，３２ａ  凸状部
Ｈ  建築物
Ｒ  屋根
【図１】
0003141904.tif 000003
【図２】
0003141904.tif 000004
【図３】
0003141904.tif 000005
【図４】
0003141904.tif 000006
【図５】
0003141904.tif 000007
【図６】
0003141904.tif 000008